(57)【要約】【課題】マイクロホンやヘッドホンを含む電気音響変換器を、主装置側のＵＳＢ端子およびアナログ端子の双方に対して選択的に接続可能とする。【解決手段】ＵＳＢプラグ１４を備えるＵＳＢケーブル１０に接続される第１切替器２０と、ヘッドホン７３などが接続される第２切替器３０と、第１，第２切替器２０，３０を制御するコントローラ４０と、一端にＵＳＢプラグ１４の相手方となるＵＳＢコネクタを有し、他端にアナログプラグを有するＵＳＢ−アナログ変換アダプタとを含み、第１切替器２０と第２切替器３０との間に、Ｄ／Ａ変換器４１を経由するＵＳＢ系統６１と、Ｄ／Ａ変換器４１をバイパスするアナログ系統６２とを設け、コントローラ４０にてＵＳＢケーブル１０の電源ライン１１ａの電圧を監視し、その電圧が「Ｈｉ」のときには、第１，第２切替器２０，３０をともにＵＳＢ系統６１に切り替え、上記電圧が「Ｌｏ」のときには、第１，第２切替器２０，３０をともにアナログ系統６２に切り替える。【選択図】  図１
2004153614.tif 000002
【特許請求の範囲】
【請求項１】
マイクロホンやヘッドホンを含む電気音響変換器を、主装置側のＵＳＢ端子およびアナログ端子の双方に対して選択的に接続可能とする音声信号中継装置であって、
一端にＵＳＢプラグを備えるＵＳＢケーブルと、上記ＵＳＢケーブルの他端に接続される第１切替器と、上記電気音響変換器が接続される第２切替器と、上記第１および第２切替器の切り替え状態を制御するコントローラと、一端に上記ＵＳＢプラグの相手方となるＵＳＢコネクタを有し、他端にアナログプラグを有するＵＳＢ−アナログ変換アダプタとを含み、
上記第１切替器と上記第２切替器との間には、Ｄ／Ａ変換器および／またはＡ／Ｄ変換器を含む信号変換器を経由するＵＳＢ系統と、上記信号変換器をバイパスするアナログ系統とが設けられており、
上記コントローラは、上記ＵＳＢケーブルの電源ラインの電圧を監視し、上記電圧が「Ｈｉ」のときには、上記第１切替器と上記第２切替器とを上記ＵＳＢ系統側に切り替え、上記電圧が「Ｌｏ」のときには、上記第１切替器と上記第２切替器とを上記アナログ系統側に切り替えることを特徴とする音声信号中継装置。
【請求項２】
上記第１切替器は、上記ＵＳＢケーブルのデータラインに接続される少なくとも２つの第１，第２ケーブル接続用端子を備えているとともに、上記第２切替器には、上記電気音響変換器が接続される少なくとも２つの第１，第２機器接続用端子が設けられており、上記各ケーブル接続用端子と上記各機器接続用端子とが同期して上記ＵＳＢ系統もしくは上記アナログ系統のいずれかに接続される請求項１に記載の音声信号中継装置。
【請求項３】
上記第１切替器と上記第２切替器には、上記ＵＳＢケーブルのグランドラインに接続される第３ケーブル接続用端子と第３機器接続用端子とがさらに設けられ、上記第３ケーブル接続用端子と第３機器接続用端子は、上記第１，第２ケーブル接続用端子および上記第１，第２機器接続用端子が上記アナログ系統に接続されるときには、同じく上記アナログ系統を介して導通され、上記第１，第２ケーブル接続用端子および上記第１，第２機器接続用端子が上記ＵＳＢ系統に接続されるときには、上記第３ケーブル接続用端子は上記ＵＳＢケーブルのシールドに接続され、上記第３機器接続用端子は上記ＵＳＢ系統に接続される請求項２に記載の音声信号中継装置。
【請求項４】
上記コントローラは、上記電源ラインの電圧が「Ｈｉ」になってから所定時間後に、上記第１切替器と上記第２切替器とを上記ＵＳＢ系統に切り替える請求項１，２または３に記載の音声信号中継装置。
【請求項５】
上記第１切替器および上記第２切替器が、上記コントローラによることなく、上記ＵＳＢケーブルの電源ラインに現れる電圧によって切り替えられるリレースイッチからなる請求項１，２または３に記載の音声信号中継装置。
【発明の詳細な説明】
【０００１】
【発明の属する技術分野】
本発明は、音声信号中継装置に関し、さらに詳しく言えば、マイクロホンやヘッドホンなどの電気音響変換器を適宜ＵＳＢ対応もしくはアナログ対応とすることができる音声信号中継装置に関するものである。
【０００２】
【従来の技術】
ＵＳＢ（Ｕｎｉｖｅｒｓａｌ  Ｓｅｒｉａｌ  Ｂｕｓ）は、パソコンとその周辺機器とを接続するインターフェイスで、拡張機器を自動で認識し、ドライバ（ソフトウェア）まで自動で組み込むプラグ＆プレイ機能を特徴の一つとしている（詳しくは、下記の非特許文献１参照）。
【０００３】
ＵＳＢには、専用のケーブルとコネクタ（シリーズＡとシリーズＢ）があり、周辺機器をパソコンに接続するには、これらを使用する必要がある。例えば、ヘッドホンでパソコンからの音声を聞く場合には、ＵＳＢプラグを備えたＵＳＢ対応の専用ヘッドホンを用いる必要がある。
【０００４】
【非特許文献１】
オーム社発行の雑誌「エレクトロニクス」１９９８年５月号，ｐ３１〜４３
【０００５】
【発明が解決しようとする課題】
パソコンにはヘッドホンのほかに、マイクロホン，ヘッドセットなどを接続できるが、いずれもＵＳＢ対応の機種はＵＳＢ専用のプラグを備えているため、ＣＤデッキなどのアナログ端子には接続できず、したがって、パソコンがない場所では使用することができない。
【０００６】
本発明は、上記した課題を解決するためになされたもので、その目的は、ＵＳＢ対応のヘッドホンやマイクロホンなどの電気音響変換器を容易にアナログ対応に変換することができるようにした電気信号中継装置を提供することにある。
【０００７】
【課題を解決するための手段】
上記目的を達成するため、本発明は、マイクロホンやヘッドホンを含む電気音響変換器を、主装置側のＵＳＢ端子およびアナログ端子の双方に対して選択的に接続可能とする音声信号中継装置であって、一端にＵＳＢプラグを備えるＵＳＢケーブルと、上記ＵＳＢケーブルの他端に接続される第１切替器と、上記電気音響変換器が接続される第２切替器と、上記第１および第２切替器の切り替え状態を制御するコントローラと、一端に上記ＵＳＢプラグの相手方となるＵＳＢコネクタを有し、他端にアナログプラグを有するＵＳＢ−アナログ変換アダプタとを含み、上記第１切替器と上記第２切替器との間には、Ｄ／Ａ変換器および／またはＡ／Ｄ変換器を含む信号変換器を経由するＵＳＢ系統と、上記信号変換器をバイパスするアナログ系統とが設けられており、上記コントローラは、上記ＵＳＢケーブルの電源ラインの電圧を監視し、上記電圧が「Ｈｉ」のときには、上記第１切替器と上記第２切替器とを上記ＵＳＢ系統側に切り替え、上記電圧が「Ｌｏ」のときには、上記第１切替器と上記第２切替器とを上記アナログ系統側に切り替えることを特徴としている。
【０００８】
ＵＳＢプラグをそのままパソコンのＵＳＢコネクタに差し込むと、ＵＳＢケーブルの電源ラインが５Ｖの「Ｈｉ」状態になるため、コントローラは第１，第２切替器を信号変換器を経由するＵＳＢ系統に切り替える。
【０００９】
これにより、第２切替器側の電気音響変換器がヘッドホンであれば、パソコンからＤ／Ａ変換器を介して音声信号がヘッドホンに与えられ、マイクロホンであれば、そのマイク信号がＡ／Ｄ変換器を介してパソコンに与えられる。
【００１０】
ＣＤデッキなどのアナログ主装置に接続するには、ＵＳＢプラグにＵＳＢ−アナログ変換アダプタを接続し、そのアナログプラグを主装置のアナログ端子に差し込む。この場合には、ＵＳＢケーブルの電源ラインは０Ｖの「Ｌｏ」状態となるため、コントローラは第１，第２切替器をアナログ系統側に切り替える。
【００１１】
本発明の好ましい態様によれば、第１切替器は、ＵＳＢケーブルのデータラインに接続される少なくとも２つの第１，第２ケーブル接続用端子を備え、また、第２切替器には、電気音響変換器が接続される少なくとも２つの第１，第２機器接続用端子が設けられ、各ケーブル接続用端子と各機器接続用端子とが同期してＵＳＢ系統もしくはアナログ系統のいずれかに接続される。
【００１２】
また、ＵＳＢケーブルのデータラインのみでなくグランドラインも使用することができる。すなわち、第１切替器と第２切替器には、ＵＳＢケーブルのグランドラインに接続される第３ケーブル接続用端子と第３機器接続用端子とがさらに設けられる。
【００１３】
そして、第３ケーブル接続用端子と第３機器接続用端子は、第１，第２ケーブル接続用端子および上記第１，第２機器接続用端子が上記アナログ系統に接続されるときには、同じく上記アナログ系統を介して導通され、第１，第２ケーブル接続用端子および第１，第２機器接続用端子がＵＳＢ系統に接続されるときには、第３ケーブル接続用端子はＵＳＢケーブルのシールドに接続され、第３機器接続用端子はＵＳＢ系統に接続される。
【００１４】
また、本発明において、切り替え時のノイズ発生を抑えるため、コントローラは、電源ラインの電圧が「Ｈｉ」になってから所定時間後に、第１切替器と第２切替器とを上記ＵＳＢ系統に切り替えるようにしている。
【００１５】
なお、第１切替器および第２切替器は、コントローラによることなく、ＵＳＢケーブルの電源ラインに現れる電圧によって直接的に切り替えられるリレースイッチであってもよい。
【００１６】
【発明の実施の形態】
次に、図１ないし図４を参照して、本発明の第１ないし第３実施形態について説明する。なお、各実施形態において、図４に示すＵＳＢ−アナログ変換アダプタ５０が共通して用いられる。
【００１７】
図１は第１実施形態に係るもので、同図（ａ）はＵＳＢ動作時のもので、同図（ｂ）はアナログ動作時のものである。この音声信号中継装置は、基本的な構成として、ＵＳＢケーブル１０，第１切替器２０，第２切替器３０，コントローラ４０および図４に示すＵＳＢ−アナログ変換アダプタ５０を備えている。
【００１８】
ＵＳＢケーブル１０は、＋５Ｖのバスパワーライン１１ａとグランド（ＧＮＤ）ライン１１ｂとからなる電源ラインと、２本のデータライン１２ａ，１２ｂの４本の電線を有し、これらの周りはシールド１３によって被覆されている。なお、ロースピード（ＬＳ）用の場合には、シールド１３は必ずしも必要とされない。
【００１９】
ＵＳＢケーブル１０の一端にはＵＳＢプラグ１４が取り付けられており、その他端は第１切替器２０に接続されている。この第１実施形態によると、第１切替器２０には、一方のデータライン１２ａが接続される第１ケーブル接続用端子２１と、他方のデータライン１２ｂが接続される第２ケーブル接続用端子２２とが設けられている。
【００２０】
各ケーブル接続用端子２１，２２は、それぞれ２つの切替接点２１ａ，２１ｂ；２２ａ，２２ｂを備えている。この場合、２１ａ，２２ａがＵＳＢ側で、２１ｂ，２２ｂがアナログ側である。
【００２１】
第２切替器３０には、ヘッドホン，マイクロホン，ヘッドセットなどの電気音響変換器が接続される。第２切替器３０には、第１切替器２０と同じく２つの機器接続用端子３１，３２が設けられている。この例では、各機器接続用端子３１，３２には、それぞれヘッドホン（スピーカ）７３，７３が接続されている。一方がＬチャンネル用で、他方がＲチャンネル用である。
【００２２】
各機器接続用端子３１，３２も、それぞれ２つの切替接点３１ａ，３１ｂ；３２ａ，３２ｂを備えている。この場合、３１ａ，３２ａがＵＳＢ側で、３１ｂ，３２ｂがアナログ側である。
【００２３】
コントローラ４０には、バスパワーライン１１ａから電圧の「Ｈｉ」，「Ｌｏ」情報が入力され、コントローラ４０は、この電圧情報に基づいて第１，第２切替器２０，３０を制御する。
【００２４】
また、コントローラ４０には、Ｄ／Ａ変換器４１が内蔵されており、第１切替器２０のＵＳＢ側切替接点２１ａ，２２ａは、Ｄ／Ａ変換器４１を介して第２切替器３０のＵＳＢ側切替接点３１ａ，３２ａに接続されている。これが、第１切替器２０と第２切替器３０との間に設けられるＵＳＢ系統６１である。
【００２５】
第１切替器２０のアナログ側切替接点２１ｂ，２２ｂと、第２切替器３０のアナログ側切替接点３１ｂ，３２ｂは、Ｄ／Ａ変換器４１をバイパスして直接的に接続されている。これが、第１切替器２０と第２切替器３０との間に設けられるアナログ系統６２である。
【００２６】
図４を併せて参照して、ＵＳＢ−アナログ変換アダプタ５０は、上記ＵＳＢプラグ１４が差し込まれるＵＳＢコネクタ５１（この例ではシリーズＡのもの）と、図示しない例えばＣＤデッキなどの主装置側のアナログ端子に差し込まれるアナログプラグ５２とを備え、これらはケーブル５３を介して接続されている。
【００２７】
この例において、アナログプラグ５２には、標準ステレオプラグが用いられている。また、ケーブル５３は、ＵＳＢケーブル１０のデータライン１２ａ，１２ｂと接続される２本の電線と、ＧＮＤライン１３と接続される１本の電線とを有する３芯ケーブルである。なお、ＵＳＢケーブル１０側にＵＳＢコネクタ５１を取り付け、ケーブル５３側にＵＳＢプラグ１４を取り付けるようにしてもよい。
【００２８】
ヘッドホン７３，７３を図示しないパソコンに接続するには、ＵＳＢプラグ１４をそのままパソコン側のＵＳＢコネクタに差し込む。これにより、パソコン側からバスパワーライン１１ａに５Ｖ電源が供給される。
【００２９】
コントローラ４０は、この５Ｖ電源が現れたことをもってパソコンに接続されたものと認識して、図１（ａ）のように、第１切替器２０および第２切替器３０を、それぞれＵＳＢ側切替接点２１ａ，２２ａ；３１ａ，３２ａに切り替えてＵＳＢ系統６１を選択する。これにより、パソコンからのデジタル音声信号がＤ／Ａ変換器４１にてアナログに変換されてヘッドホン７３，７３に供給されることになる。
【００３０】
なお、コントローラ４０には、Ｄ／Ａ変換器４１からの信号でヘッドホン７３を駆動するためのパワーアンプが内蔵されている。このパワーアンプからは立ち上がり当初にノイズが発生する。
【００３１】
このノイズによるヘッドホン７３からの雑音発生を防止するため、本発明では、コントローラ４０にて第１，第２切替器２０，３０をＵＳＢ系統６１に切り替える際、上記パワーアンプが安定するまでの時間を見込んで、５Ｖ電源が現れてから所定時間後に、第１，第２切替器２０，３０を切り替えるようにしている。
【００３２】
また、第１，第２切替器２０，３０の切り替え時にもノイズが発生する。したがって、この切り替え時のノイズによる雑音発生を少なくするには、先に第１切替器２０を切り替え、その後に第２切替器３０を切り替えることが好ましい。
【００３３】
次に、ヘッドホン７３，７３を図示しないアナログの主装置、例えばＣＤデッキに接続する場合には、図４のＵＳＢ−アナログ変換アダプタ５０を用い、そのＵＳＢコネクタ５１にＵＳＢプラグ１４接続するとともに、アナログプラグ５２をＣＤデッキ側のアナログ端子に差し込む。
【００３４】
この場合には、ＵＳＢケーブル１０のバスパワーライン１１ａにはパソコンから５Ｖ電源が供給されず、その電圧は０Ｖであるため、これをもってコントローラ４０はアナログ機器に接続されたと認識し、図１（ｂ）のように、第１切替器２０および第２切替器３０を、それぞれアナログ側切替接点２１ｂ，２２ｂ；３１ｂ，３２ｂに切り替えてアナログ系統６２を選択する。これにより、各ヘッドホン７３は通常のアナログヘッドホンとして動作する。
【００３５】
上記実施形態とは異なり、第１切替器２０および第２切替器３０をリレースイッチとして、コントローラ４０によることなく、ＵＳＢケーブル１０のバスパワーライン１１ａに現れる電圧によって、第１切替器２０および第２切替器３０を直接的に切り替えるようにすることもできる。
【００３６】
次に、図２の第２実施形態について説明する。この第２実施形態は、ヘッドホン７３とマイクロホン７４とを一体に備えるモノラルヘッドセット７１を第２切替器３０に接続して使用する場合についてのものである。
【００３７】
すなわち、ヘッドホン７３が一方の機器接続用端子３１に接続され、マイクロホン７４が他方の機器接続用端子３２に接続されるが、上記第１実施形態と異なる点は、信号変換器としてＤ／Ａ変換器とＡ／Ｄ変換器とが一体になっているＣＯＤＥＣタイプの信号変換器４２を用いる点と、ＵＳＢ−アナログ変換アダプタ５０のアナログプラグ５２のチップ５２ａが例えばヘッドホン端子，リング５２ｂがマイク端子とされている点である。
【００３８】
図２には、ＵＳＢ−アナログ変換アダプタ５０を接続した状態が示されているが、パソコンに接続する場合には、ＵＳＢ−アナログ変換アダプタ５０を外して上記第１実施形態と同じくＵＳＢプラグ１４をそのままパソコン側のＵＳＢコネクタに差し込めばよい。
【００３９】
コントローラ４０は、バスパワーライン１１ａに現れる５Ｖ電源により、パソコンに接続されたと認識し、図１（ａ）に示すように、第１切替器２０および第２切替器３０を、それぞれＵＳＢ側切替接点２１ａ，２２ａ；３１ａ，３２ａに切り替えてＵＳＢ系統６１を選択する。
【００４０】
これにより、パソコンからのデジタル音声信号は、信号変換器４２のＤ／Ａ変換部にてアナログに変換されてヘッドホン７３に供給され、これに対して、マイクロホン７４のマイク音声信号は、信号変換器４２のＡ／Ｄ変換部にてデジタルに変換されてパソコン側に供給されることになる。
【００４１】
ヘッドセット７１をアナログの主装置に接続する場合には、図２のように、ＵＳＢ−アナログ変換アダプタ５０を接続して、そのアナログプラグ５２を上記主装置に接続する。この場合、バスパワーライン１１ａには５Ｖ電源が現れないため、コントローラ４０は、第１切替器２０および第２切替器３０を、それぞれアナログ側切替接点２１ｂ，２２ｂ；３１ｂ，３２ｂに切り替えてアナログ系統６２を選択する。これにより、ヘッドセット７１は通常のアナログモノラルヘッドセットとして動作する。
【００４２】
次に、図３の第３実施形態について説明する。この第３実施形態は、左右一対のヘッドホン７３，７３とマイクロホン７４とを一体に備えるステレオヘッドセット７２を第２切替器３０に接続して使用する場合についてのものである。
【００４３】
この第３実施形態においては、マイク接続用として第２切替器３０に第３の機器接続用端子３３がさらに設けられるとともに、これに対応して、第１切替器２０にも第３のケーブル接続用端子２３がさらに設けられる。この第３のケーブル接続用端子２３には、ＵＳＢケーブル１０のＧＮＤライン１１ｂが接続される。
【００４４】
第３の機器接続用端子３３および第３のケーブル接続用端子２３も、それぞれＵＳＢ側切替接点３３ａ，２３ａとアナログ側切替接点３３ｂ，２３ｂとを備えている。このうち、第３の機器接続用端子３３のアナログ側切替接点３３ｂと第３のケーブル接続用端子２３のアナログ側切替接点２３ｂは、上記アナログ系統６２に含まれる配線によって直接的に接続される。
【００４５】
これに対して、第３の機器接続用端子３３のＵＳＢ側切替接点３３ａは、上記ＵＳＢ系統６１に含まれる配線を介してコントローラ４０に接続され、第３のケーブル接続用端子２３のＵＳＢ側切替接点２３ａは、ＵＳＢケーブル１０のシールド１３と接続される。
【００４６】
この第３実施形態においても、ＣＯＤＥＣタイプの信号変換器４２が用いられるが、図３に示されているように、ＵＳＢ−アナログ変換アダプタ５０には２つのアナログプラグが用いられる。
【００４７】
その一つは、上記第１実施形態でも用いられている標準ステレオプラグ５２で、この標準ステレオプラグ５２は、ＵＳＢコネクタ５１を介してＵＳＢケーブル１０内のデータライン１２ａ，１２ｂと接続される。
【００４８】
もう一つのアナログプラグは、マイク用標準モノラルプラグ５４で、このマイク用標準モノラルプラグ５４は、ＵＳＢコネクタ５１を介してＵＳＢケーブル１０内のＧＮＤライン１１ｂと接続される。
【００４９】
図３には、ＵＳＢ−アナログ変換アダプタ５０を接続した状態が示されているが、パソコンに接続する場合には、ＵＳＢ−アナログ変換アダプタ５０を外して上記第１実施形態と同じくＵＳＢプラグ１４をそのままパソコン側のＵＳＢコネクタに差し込めばよい。
【００５０】
コントローラ４０は、バスパワーライン１１ａに現れる５Ｖ電源により、パソコンに接続されたと認識し、第１切替器２０および第２切替器３０を、それぞれＵＳＢ側切替接点２１ａ，２２ａ，２３ａ；３１ａ，３２ａ，３３ａに切り替えてＵＳＢ系統６１を選択するが、この第３実施形態においては、第３のケーブル接続用端子２３のＵＳＢ側切替接点２３ａは、ＵＳＢケーブル１０のシールド１３と接続されるため、ＵＳＢ系統６１には含まれない。
【００５１】
これにより、上記第２実施形態と同じく、パソコンからのデジタル音声信号は信号変換器４２のＤ／Ａ変換部にてアナログに変換されてヘッドホン７３，７３に供給され、これに対して、マイクロホン７４のマイク音声信号は、信号変換器４２のＡ／Ｄ変換部にてデジタルに変換されてパソコン側に供給されることになる。
【００５２】
ヘッドセット７２をアナログの主装置に接続する場合には、図３のように、ＵＳＢ−アナログ変換アダプタ５０を接続して、そのアナログプラグ５２，５４を上記主装置に接続する。
【００５３】
この場合、バスパワーライン１１ａには５Ｖ電源が現れないため、コントローラ４０は、第１切替器２０および第２切替器３０を、それぞれアナログ側切替接点２１ｂ，２２ｂ，２３ｂ；３１ｂ，３２ｂ，３３ｂに切り替えてアナログ系統６２を選択する。
【００５４】
これにより、ヘッドホン７３，７３は、信号変換器４２を介することなく標準ステレオプラグ５２に接続され、また、マイクロホン７４も信号変換器４２を介することなくマイク用標準モノラルプラグ５４に接続されることになり、ヘッドセット７２は通常のアナログステレオヘッドセットとして動作する。
【００５５】
なお、上記各実施形態において、第２切替器３０と、ヘッドホン７３，マイクロホン７４，ヘッドセット７１，７２との接続は、固定的であってもよいし、プラグとソケットなどの着脱嵌合式であってもよい。また、本発明は、上記各実施形態で説明したバスパワー方式のみならず、セルフパワー方式のＵＳＢ機器にも適用することができる。
【００５６】
【発明の効果】
以上説明したように、本発明の電気信号中継装置を用いることにより、ＵＳＢ対応のヘッドホンやマイクロホンなどの電気音響変換器を容易にアナログ対応に変換することができる。また、例えばスピーカ（ヘッドホン）について言えば、ＵＳＢ接続した場合、アナログ接続した場合とでの音質比較などを簡単に行うことができる。
【図面の簡単な説明】
【図１】本発明の第１実施形態を示す回路構成図。
【図２】本発明の第２実施形態を示す回路構成図。
【図３】本発明の第３実施形態を示す回路構成図。
【図４】本発明に含まれるＵＳＢ−アナログ変換アダプタを示す外観斜視図。
【符号の説明】
１０  ＵＳＢケーブル
１１ａ  バスパワーライン
１１ｂ  グランド（ＧＮＤ）ライン
１２ａ，１２ｂ  データライン
１４  ＵＳＢプラグ
２０  第１切替器
２１〜２３  ケーブル接続用端子
３０  第２切替器
３１〜３３  機器接続用端子
４０  コントローラ
４１  Ｄ／Ａ変換器
４２  ＣＯＤＥＣタイプの信号変換器
５０  ＵＳＢ−アナログ変換アダプタ
５１  ＵＳＢコネクタ
５２  アナログプラグ
５３  ３芯ケーブル
６１  ＵＳＢ系統
６２  アナログ系統
７１，７２  ヘッドセット
７３  スピーカ
７４  マイクロホン
【図１】
2004153614.tif 000003
【図２】
2004153614.tif 000004
【図３】
2004153614.tif 000005
【図４】
2004153614.tif 000006